(57)【要約】【課題】  飲酒時における利便性の高い撮像装置を提供する。【解決手段】  ステップＳ１０で、手ぶれ補正機能がすでにオンされているかどうかを判断する。手ぶれ補正機能がすでにオンされている場合には、そのまま本処理を終了する。手ぶれ補正機能がオンされていない場合には、ステップＳ１２で、アルコール検知センサ２８からアルコール濃度データを取得し、ステップＳ１４で、このアルコール濃度が予め設定されている所定値以上かどうかを判断する。判断が肯定された場合には、ステップＳ１６で手ぶれ補正機能をオンにして本処理を終了する。【選択図】  図４
2006157827.tif 000002
【特許請求の範囲】
【請求項１】
被写体を撮影する撮影手段と、
アルコール濃度を検知可能なアルコール検知手段と、
前記アルコール検知手段により検知されたアルコール濃度に応じて、前記撮影手段による撮影時にアルコールに対応した制御を実行可能なアルコール制御実行手段と、
を備えた撮像装置。
【請求項２】
撮影時の手ぶれを補正可能な手ぶれ補正手段をさらに備え、
前記アルコール制御実行手段が、前記手ぶれ補正手段による手ぶれ補正の実行であり、前記アルコール検知手段により検知されたアルコール濃度が所定値以上である場合に、この手ぶれ補正が実行されること、
を特徴とする請求項１に記載の撮像装置。
【請求項３】
被写体の肌部分を認識すると共に、前記アルコール検知手段により検知されたアルコール濃度に応じて肌部分の画像の色を赤みが強調される色へ色強調する赤み強調手段をさらに備え、
前記アルコール制御実行手段が、前記赤み強調手段による色強調の実行であること、
を特徴とする請求項１または請求項２に記載の撮像装置。
【請求項４】
被写体の肌部分を認識すると共に、前記アルコール検知手段により検知されたアルコール濃度に応じて肌部分の画像で赤みが強調される面積を調整する赤色強調面積調整手段をさらに備え、
前記アルコール制御実行手段が、前記赤色強調面積調整手段による赤色強調面積の調整の実行であること、
を特徴とする請求項１乃至請求項３のいずれか１項に記載の撮像装置。
【請求項５】
被写体の肌部分を認識すると共に、前記アルコール検知手段により検知されたアルコール濃度に応じて肌部分の画像の色を赤みが軽減されるように色を補正する肌色補正手段をさらに備え、
前記アルコール制御実行手段が、前記肌色補正手段による色補正の実行であること、
を特徴とする請求項１または請求項２に記載の撮像装置。
【請求項６】
前記アルコール検知手段により検知されたアルコール濃度を表示可能なアルコール濃度表示手段をさらに備え、
前記アルコール制御実行手段が、アルコール濃度表示手段によるアルコール濃度の表示の実行であること、
を特徴とする請求項１乃至請求項５のいずれか１項に記載の撮像装置。
【発明の詳細な説明】
【技術分野】
【０００１】
本発明は、撮像装置に係り、特に、アルコール濃度の検出を可能な撮像装置に関する。
【背景技術】
【０００２】
近年、デジタルカメラが普及し、飲み会などの席でも広く手軽に使用されるようになっている。ところで、アルコールが入ると、撮影者はデジタルカメラを手でしっかりと固定することが難しくなり、撮影した画像に手ぶれが生じてしまうことがある。また、被写体となる人にアルコールが入ると、顔色が通常時よりも赤くなる場合がある。
【０００３】
そこで、アルコールが入るとわかっているときには、ユーザーは、予め手ぶれ補正機能をオンしておくことも考えられるが、手ぶれ補正のための回路は、通常消費電力が大きく、長時間手ぶれ補正機能をオン状態にしておくのは望ましくない。
【０００４】
また、被写体となる人の顔色を、アルコールの濃度の応じて調整したい場合もある。
【０００５】
現在、人の体内のアルコール濃度の検出を行なって、その結果飲酒が確認された場合に、その人を監視対象者としたり（特許文献１参照）、飲酒運転を防止したりする（特許文献２参照）システムが提案されている。
【０００６】
しかしながら、アルコールの入った撮影者によるカメラ操作の不都合を解消するものでも、被写体の撮影時に制御を加えるものでもなかった。
【特許文献１】特開２００３−２２４８４４号公報
【特許文献２】特開２００４−２１２２１７号公報
【発明の開示】
【発明が解決しようとする課題】
【０００７】
本発明は、上記事実を考慮して成されたものであり、飲酒時における利便性の高い撮像装置を提供することを目的とする。
【課題を解決するための手段】
【０００８】
上記課題を解決するために、請求項１に記載の撮像装置は、被写体を撮影する撮影手段と、アルコール濃度を検知可能なアルコール検知手段と、前記アルコール検知手段により検知されたアルコール濃度に応じて、前記撮影手段による撮影時にアルコールに対応した制御を実行可能なアルコール制御実行手段と、を備えている。
【０００９】
この撮像装置では、アルコール濃度の検知が可能とされており、検知されたアルコール濃度に応じて、アルコール制御実行手段で、撮影手段による撮影時にアルコールに対応した制御が実行される。
【００１０】
このように、検知したアルコール濃度に応じた制御を可能とすることで、撮影者や被撮影者（被写体）が飲酒している場合に、飲酒により生じる撮影上の不都合を回避するように制御すれば、飲酒時における利便性を向上させることができる。
【００１１】
請求項２に記載の発明は、請求項１の撮像装置において、撮影時の手ぶれを補正可能な手ぶれ補正手段をさらに備え、前記アルコール制御実行手段が、前記手ぶれ補正手段による手ぶれ補正の実行であり、前記アルコール検知手段により検知されたアルコール濃度が所定値以上である場合に、この手ぶれ補正が実行されること、を特徴とする。
【００１２】
この撮像装置によれば、アルコール検知手段により検知されたアルコール濃度が所定値以上である場合に、手ぶれ補正が実行されるので、飲酒者が撮像装置をしっかりと固定できなくても、手ぶれの少ない画像を得ることができる。また、予め手ぶれ機能をオンしておく必要がないので、消費電力を抑制することができる。
【００１３】
請求項３に記載の発明は、請求項１または請求項２に記載の撮像装置において、被写体の肌部分を認識すると共に、前記アルコール検知手段により検知されたアルコール濃度に応じて肌部分の画像の色を赤みが強調される色へ色強調する赤み強調手段をさらに備え、前記アルコール制御実行手段が、前記赤み強調手段による色強調の実行であること、を特徴とする。
【００１４】
この撮像装置によれば、アルコール検知手段により検知されたアルコール濃度に応じて被写体の肌部分の画像の色を赤みが強調されるので、撮影時に被写体となる人のアルコール濃度を検知しておけば、飲酒時の撮影であることがわかり、画像の閲覧時等に楽しむことができる。また、飲酒により顔が赤くならない人でも赤い顔の画像とすることができて便利である。
【００１５】
請求項４に記載の発明は、請求項１乃至請求項３のいずれか１項に記載の撮像装置において、被写体の肌部分を認識すると共に、前記アルコール検知手段により検知されたアルコール濃度に応じて肌部分の画像で赤みが強調される面積を調整する赤色強調面積調整手段をさらに備え、前記アルコール制御実行手段が、前記赤色強調面積調整手段による赤色強調面積の調整の実行であること、を特徴とする。
【００１６】
この撮像装置によれば、アルコール検知手段により検知されたアルコール濃度に応じて被写体の肌部分の画像で赤みが強調される面積が調整されるので、被写体となる人のアルコール濃度を撮影時に検出しておけば、その人にどの程度アルコールが入っているかを画像から読みとれ、閲覧時に楽しむことができる。
【００１７】
請求項５に記載の発明は、請求項１または請求項２に記載の撮像装置において、被写体の肌部分を認識すると共に、前記アルコール検知手段により検知されたアルコール濃度に応じて肌部分の画像の色を赤みが軽減されるように色補正する肌色補正手段をさらに備え、前記アルコール制御実行手段が、前記肌色補正手段による色補正の実行であること、を特徴とする。
【００１８】
この撮像装置によれば、アルコール検知手段により検知されたアルコール濃度に応じて被写体の肌部分の画像の色が赤みが軽減されるように色補正されるので、撮影時に被写体となる人のアルコール濃度を検知しておけば、飲酒時に実際は顔が赤くなっていても赤みの軽減された画像として記録され、飲酒時の撮影であることをわかりずらくすることができる。
【００１９】
請求項６に記載の発明は、請求項１乃至請求項５のいずれか１項に記載の撮像装置において、前記アルコール検知手段により検知されたアルコール濃度を表示可能なアルコール濃度表示手段をさらに備え、前記アルコール制御実行手段が、アルコール濃度表示手段によるアルコール濃度の表示の実行であること、を特徴とする。
【００２０】
この撮像装置によれば、アルコール検知手段により検知されたアルコール濃度が表示されるので、被写体の飲酒の度合いを数値で確認することができて便利である。
【発明の効果】
【００２１】
以上説明したように、本発明の撮像装置によれば、飲酒時における使用の際の利便性を向上させることができる。
【発明を実施するための最良の形態】
【００２２】
以下、図面を参照して本発明の撮像装置について説明する。本実施形態では、撮像装置としてデジタルカメラを例に説明するが、他の撮像装置、例えば、ビデオカメラなどにも適用することができる。
【００２３】
本実施形態のデジタルカメラ１０は、図１（Ａ）に示すように、カメラ本体１２を備え、前面にレンズユニット１４、上面にレリーズボタン１６を備える。レリーズボタン１６は、押圧されることにより撮影準備の実行指示、または、撮影動作の実行指示を入力可能とされている。ここで、撮影準備とはＡＥ（Automatic Exposure、自動露出）機能を働かせて露出状態（シャッタースピード、絞りの状態）を設定し、ＡＦ（Auto Focus、自動合焦）機能を働かせて合焦制御を行うことをいう。また、撮影動作とは、露光の動作をいう。
【００２４】
また、図１（Ｂ）に示すように、背面に液晶ディスプレイ（以下「ＬＣＤ」という）１８、指示キー２２、電源ＳＷ２４、その他各種の入力を行うための入力キー２６、及び、アルコール検知センサ２８、を備える。
【００２５】
アルコール検知センサ２８は、呼気によるアルコール濃度の検知を可能とされており、いわゆるＭＥＭＳセンサをカメラ本体１２の表面または内部に配置して構成することができる。
【００２６】
図２にデジタルカメラ１０の制御系の概略ブロック図を示す。デジタルカメラ１０には、レンズユニット１４を通過する光量を調整する絞り３２、光の通過時間を調整するシャッタ３４、及び、光を光電変換してアナログ画像信号を出力するＣＣＤ３６が備えられている。
【００２７】
ＣＣＤ３６はアナログ信号処理部３８と接続され、アナログ信号処理部３８はアナログ／デジタル変換器（以下、「Ａ／Ｄ変換器」という）４０と接続され、Ａ／Ｄ変換器４０はデジタル信号処理部４２と接続されている。アナログ信号処理部３８は、ＣＣＤ３６から入力された信号に対して所定のアナログ信号処理を施す。Ａ／Ｄ変換器４０は、アナログ信号処理部３８から入力されたアナログ信号をデジタル信号に変換してデジタル信号処理部４２へ出力する。デジタル信号処理部４２は、入力されたデジタル信号に対して各種の処理を行い、デジタル画像データを生成する。
【００２８】
また、デジタルカメラ１０には、ＣＰＵ５０、内部メモリ５２、表示制御部５４、記録制御部５６、及び、圧縮／伸張部５８が備えられている。前述のデジタル信号処理部４２、ＣＰＵ５０、内部メモリ５２、表示制御部５４、記録制御部５６、圧縮／伸張部５８は、バス５９を介して相互に接続されている。
【００２９】
ＣＰＵ５０は各種のプログラムを実行するなどしてデジタルカメラ１０全体の制御を行う。ＣＰＵ５０は、電源ＳＷ２４、入力キー２６、アルコール検知センサ２８、と接続されており、これらの各部から各種の情報が入力される。
【００３０】
内部メモリ５２にはデジタル信号処理部４２で生成されたデジタル画像データ、デジタルカメラ１０の制御用の各種プログラム等が記憶されている。また、内部メモリ５２には、アルコール検知センサ２８で検知されたアルコール濃度に応じて、各種の制御を実行するかどうかの飲酒用指示が記憶されている。各種指示内容としては、手ぶれ補正のオン・オフ、顔色補正のオン・オフ、赤み強調のオン・オフ、赤色面積強調のオン・オフ、アルコール濃度表示のオン・オフが記憶可能とされている。
【００３１】
手ぶれ補正のオン・オフは、アルコール検知センサ２８で検知されたアルコール濃度が、所定値以上の場合に、手ぶれ補正機能をオンするか、オフとしておくかの指示である。
【００３２】
顔色補正のオン・オフは、アルコール検知センサ２８で検知されたアルコール濃度に応じて、すなわち、アルコール濃度が高くなるにしたがって、被写体の肌の赤みが軽減されるような色補正をオンにするか、オフとしておくかの指示である。アルコール濃度と顔色補正との対応関係は、予め内部メモリ５２に登録されている。この顔色補正をオンにした場合には、赤み強調、及び、赤色面積強調はオンすることができず、オフのみが選択される。
【００３３】
赤み強調のオン・オフは、アルコール検知センサ２８で検知されたアルコール濃度に応じて、すなわち、アルコール濃度が高くなるにしたがって、被写体の肌の赤みが強調されるような赤み強調をオンにするか、オフとしておくかの指示である。アルコール濃度と赤み強調との対応関係は、予め内部メモリ５２に登録されている。
【００３４】
赤色面積強調のオン・オフは、アルコール検知センサ２８で検知されたアルコール濃度に応じて、すなわち、アルコール濃度が高くなるにしたがって、被写体の肌の赤色部分の面積を広くするような赤色面積強調をオンにするか、オフとしておくかの指示である。アルコール濃度と赤色面積強調との対応関係は、予め内部メモリ５２に登録されている。
【００３５】
アルコール濃度表示のオン・オフは、アルコール検知センサ２８で検知されたアルコール濃度の、ＬＣＤ１８への表示をオンにするか、オフとしておくかの指示である。
【００３６】
記録制御部５６は外部メモリ６０と接続可能とされており、外部メモリ６０へデジタル画像データを書き込む処理、及び、外部メモリ６０からデジタル画像データを読出す処理を実行可能とされている。表示制御部５４はＬＣＤ１８と接続されており、ＬＣＤ１８へ画像等を表示するための処理を行う。圧縮／伸張部５８は、デジタル画像データに対して圧縮処理及び伸張処理を行う。
【００３７】
さらに、デジタルカメラ１０には、レンズユニット１４を駆動させるためのレンズ駆動部６２、手ぶれ補正用に図示しない圧電素子を用いてレンズユニット１４を駆動させる手ぶれ補正部６３、絞り３２を駆動させるための絞り駆動部６４、シャッタ３４を駆動させるためのシャッタ駆動部６６、及び、ＣＣＤ３６に対する撮影時のタイミング制御を行うＣＣＤ制御部６８が備えられている。レンズ駆動部６２、絞り駆動部６４、シャッタ駆動部６６、及び、ＣＣＤ制御部６８は、ＣＰＵ５０と接続されている。
【００３８】
次に、本実施形態の作用について説明する。
【００３９】
ユーザーは、飲酒時に所定の飲酒用制御を実行させたい場合には、入力キー２６を操作して、ＬＣＤ１８に図３に示すアルコール制御設定画面Ｇを表示させる。アルコール制御設定画面Ｇには、手ぶれ補正、顔色補正、赤み強調、赤色面積強調、アルコール濃度表示、の各々について、オン・オフのいずれかを選択可能とする表示がなされている。ユーザーは、指示キー２２を用いて、各指示内容についてオン・オフのいずれかを選択する。例えば、撮影者が酔っている場合には、手ぶれ補正をオンとしておき、被撮影者が、酔っている場合には赤み強調、赤色面積強調、アルコール濃度表示をオンとしておくなどの指示を入力しておくことができる。なお、図３では、手ぶれ補正及び顔色補正がオンとされ、その他の指示はオフとされている。
【００４０】
ユーザーがデジタルカメラ１０で被写体を撮影する際には、まず、電源ＳＷ２４から電源オンを入力する。これにより、デジタルカメラ１０の電源がオンされ、ＣＰＵ５０からレンズ駆動部６２へレンズ駆動の指示がなされ、レンズユニット１４がカメラ本体１２の外側へ突出される。
【００４１】
また、ＣＰＵ５０からＣＣＤ制御部６８へＣＣＤ制御の指示がなされ、ＣＣＤ３６は所定のタイミングで被写体からの光を受け取って光電変換し、光電変換して得られるアナログ信号をアナログ信号処理部３８へ出力する。アナログ信号処理部３８では雑音除去などの所定の処理が行われ、処理後の信号がＡ／Ｄ変換器４０へ出力される。Ａ／Ｄ変換器４０で、アナログ信号はデジタル信号に変換され、デジタル信号がデジタル信号処理部４２へ出力される。デジタル信号処理部４２では入力されたデジタル信号に所定の処理が加えられ、デジタル画像データが生成され、一旦、内部メモリ５２に記憶される。そして、表示制御部５４へ出力され、表示制御部５４により所定の処理が行われて、デジタル画像データに基づく画像がＬＣＤ１８に所定のフレームレートで動画像的に連続表示される。
【００４２】
［手ぶれ補正］
ここで、デジタルカメラ１０では、飲酒時の手ぶれ補正がオンに選択されている場合には、図４に示す手ぶれ補正確認処理が実行される。
【００４３】
ステップＳ１０で、手ぶれ補正機能がすでにオンされているかどうかを判断する。手ぶれ補正機能がすでにオンされている場合には、そのまま本処理を終了する。手ぶれ補正機能がオンされていない場合には、ステップＳ１２で、アルコール検知センサ２８からアルコール濃度データを取得し、ステップＳ１４で、このアルコール濃度が予め設定されている所定値以上かどうかを判断する。判断が肯定された場合には、ステップＳ１６で手ぶれ補正機能をオンにして本処理を終了する。判断が否定された場合には、ステップＳ１２へ戻って上記の処理を繰り返す。
【００４４】
上記処理によれば、酔ったユーザがデジタルカメラ１０のアルコール検知センサ２８に呼気を吹きかけ、この呼気のアルコール濃度が所定値以上となった場合に、手ぶれ補正機能がオンされる。手ぶれ補正機能を常時オン状態としておくと、消費電力が大きく節電の観点より好ましくないが、上記処理では、必要時に自動的に手ぶれ補正機能がオンされるので、消費電力の抑制が可能である。
【００４５】
［顔色補正］
また、デジタルカメラ１０では、飲酒時の顔色補正がオンに選択されている場合には、図５に示す顔色補正処理が実行される。
【００４６】
ステップＳ２０で、アルコール検知センサ２８からアルコール濃度データを取得し、ステップＳ２２で、このアルコール濃度に対応する顔色補正データが読み出される。ステップＳ２４で、取り込み画像中の顔部分を抽出すると共に、読み出した顔色補正データに基づいて被写体の肌の顔色を補正する処理を行ない、本処理を終了する。
【００４７】
上記処理によれば、被写体となる人がデジタルカメラ１０のアルコール検知センサ２８に呼気を吹きかけることにより、この人の呼気のアルコール濃度に応じて、取り込まれる画像の顔色を補正することができる。これにより、図６に示すように、被写体となった人の顔（図６（Ａ）参照）が飲酒により赤くなっていても、撮影される画像（図６（Ｂ）参照）は通常時と同様の顔色のものとすることができる。
【００４８】
また、本処理では、顔部分を抽出して顔色の補正を行なったが、顔を含めた肌部分抽出し、肌部分の色補正を行なってもよい。
【００４９】
［赤み強調］
また、デジタルカメラ１０では、飲酒時の赤み強調がオンに選択されている場合には、図７に示す赤み強調処理が実行される。
【００５０】
ステップＳ３０で、アルコール検知センサ２８からアルコール濃度データを取得し、ステップＳ３２で、このアルコール濃度に対応する赤み強調データが読み出される。ステップＳ３４で、取り込み画像中の顔部分を抽出すると共に、読み出した赤み強調データに基づいて被写体の肌の赤みを強調する処理を行ない、本処理を終了する。
【００５１】
上記処理によれば、被写体となる人がデジタルカメラ１０のアルコール検知センサ２８に呼気を吹きかけることにより、この人の呼気のアルコール濃度に応じて、取り込まれる画像の顔色を赤くすることができる。これにより、図８に示すように、被写体となった人が飲酒により顔色が変わらない人（図８(Ａ)参照）であったとしても、撮影される画像ではアルコール濃度に応じて顔が赤くなり（図８（Ｂ）参照）、どの程度お酒を飲んでいるかを画像から知ることができる。
【００５２】
［赤色面積強調］
また、デジタルカメラ１０では、飲酒時の赤色面積強調がオンに選択されている場合には、図９に示す赤色面積強調処理が実行される。
【００５３】
ステップＳ４０で、アルコール検知センサ２８からアルコール濃度データを取得し、ステップＳ４２で、このアルコール濃度に対応する赤色面積強調データが読み出される。ステップＳ４４で、取り込み画像中の顔部分を抽出すると共に、読み出した赤色面積強調データに基づいて被写体の顔の所定面積部分の赤みが強調される処理を行ない、本処理を終了する。
【００５４】
上記処理によれば、被写体となる人がデジタルカメラ１０のアルコール検知センサ２８に呼気を吹きかけることにより、この人の呼気のアルコール濃度に応じて、取り込まれる画像の顔の赤い部分の面積を変化させることができる。これにより、図１０に示すように、被写体となった人が飲酒により顔色が変わらない人（図１０（Ａ）参照）であったとしても、撮影される画像ではアルコール濃度に応じて赤色部分の面積が広くなる（図１０（Ｂ）参照）。これにより、どの程度お酒を飲んでいるかを画像から知ることができる。
【００５５】
［アルコール濃度表示］
また、デジタルカメラ１０では、飲酒時のアルコール濃度表示がオンに選択されている場合には、図１１に示すアルコール濃度表示処理が実行される。
【００５６】
ステップＳ５０で、アルコール検知センサ２８からアルコール濃度データを取得し、ステップＳ５２で、このアルコール濃度をＬＣＤ１８へ表示させるように、表示制御部５４へ指示を出力し、本処理を終了する。
【００５７】
上記処理によれば、被写体となる人がデジタルカメラ１０のアルコール検知センサ２８に呼気を吹きかけることにより、図１２に示すように、この人の呼気のアルコール濃度を表示させることができる。これにより、被写体となった人の飲酒の程度を知ることができる。
【００５８】
なお、静止画像の取り込みは、上記各制御処理が行なわれるいずれの場合も、以下のようにして行なわれる。
【００５９】
ユーザーがレリーズボタン１６を半押しすると、撮影準備が実行される。撮影準備の実行によりＡＥ機能及びＡＦ機能が働いて、シャッタスピード、絞り３２、レンズユニット１４の位置が調整される。ユーザーがレリーズボタンの半押しを続けることにより、シャッタスピード、絞り３２、レンズユニット１４の状態が保持される。この状態をレリーズロックという。
【００６０】
続いてユーザーが、レリーズボタン１６を全押しする。これにより、撮影動作が実行される。すなわち、シャッタ３４が駆動されると共に、ＣＰＵ５０からＣＣＤ制御部６８へＣＣＤ制御の指示がなされ、ＣＣＤ３６は所定のタイミングで被写体からの光を受け取って光電変換し、光電変換して得られるアナログ信号をアナログ信号処理部３８へ出力する。このとき、手ぶれ補正機能がオンされていれば、手ぶれ補正部６３により、手ぶれが補正されるようにレンズユニット１４が駆動される。その後、アナログ信号処理部３８では雑音除去などの所定の処理が行われ、処理後の信号がＡ／Ｄ変換器４０へ出力される。Ａ／Ｄ変換器４０で、アナログ信号はデジタル信号に変換され、デジタル信号がデジタル信号処理部４２へ出力される。デジタル信号処理部４２では入力されたデジタル信号に所定の処理が加えられ（前述の、顔色補正、赤み強調、赤色面積強調、アルコール濃度表示、の各機能がオン設定されている場合にはオンに設定されている処理が加えられる）、デジタル画像データが生成され、圧縮／伸張部５８へ出力される。圧縮／伸張部５８では、デジタル画像データが圧縮処理され、圧縮後のデジタル画像データが記録制御部５６に出力され、外部メモリ６０に記録される。
【００６１】
なお、アルコール濃度表示がオンにされている場合には、アルコール濃度も併せて外部メモリ６０へ保存される。
【００６２】
以上説明したように、本実施形態のデジタルカメラ１０によれば、アルコール検知センサ２８でアルコール濃度を検知して、検知結果に応じて、手ぶれ補正、顔色補正、赤み強調、赤色面積強調、アルコール濃度表示、の各々の処理が実行されるので、飲酒時における撮影に好適に使用することができる。
【００６３】
なお、本実施形態で説明した手ぶれ補正をオンする制御、及び、アルコール濃度を表示させる制御は、銀塩カメラに適用することもできる。
【図面の簡単な説明】
【００６４】
【図１】本実施形態のデジタルカメラの（Ａ）は前面図であり、（Ｂ）は背面図である。
【図２】本実施形態のデジタルカメラの制御系の概略ブロック図である。
【図３】本実施形態のアルコール制御設定画面を示す図である。
【図４】本実施形態の手ぶれ補正確認処理のフローチャートである。
【図５】本実施形態の顔色補正処理のフローチャートである。
【図６】（Ａ）は被写体、（Ｂ）は顔色補正処理時にＬＣＤに表示された被写体の画像を示す図である。
【図７】本実施形態の赤み強調処理のフローチャートである。
【図８】（Ａ）は被写体、（Ｂ）は赤み強調処理時にＬＣＤに表示された被写体の画像を示す図である。
【図９】本実施形態の赤色面積強調処理のフローチャートである。
【図１０】（Ａ）は被写体、（Ｂ）は赤色面積強調処理時にＬＣＤに表示された被写体の画像を示す図である。
【図１１】本実施形態のアルコール濃度表示処理のフローチャートである。
【図１２】（Ａ）は被写体、（Ｂ）はアルコール濃度表示処理時のＬＣＤの表示を示す図である。
【符号の説明】
【００６５】
１０  デジタルカメラ
１２  カメラ本体
１４  レンズユニット
１６  レリーズボタン
２２  指示キー
２６  入力キー
２８  アルコール検知センサ
４２  デジタル信号処理部
５２  内部メモリ
５２  表示制御部
６０  外部メモリ
６３  手ぶれ補正部
【図１】
2006157827.tif 000003
【図２】
2006157827.tif 000004
【図３】
2006157827.tif 000005
【図４】
2006157827.tif 000006
【図５】
2006157827.tif 000007
【図６】
2006157827.tif 000008
【図７】
2006157827.tif 000009
【図８】
2006157827.tif 000010
【図９】
2006157827.tif 000011
【図１０】
2006157827.tif 000012
【図１１】
2006157827.tif 000013
【図１２】
2006157827.tif 000014